(57)【要約】【課題】ＵＰｎＰを実装している機器のＳｅｒｖｉｃｅＵＲＬを有効に管理する。【解決手段】ＳｅｒｖｉｃｅＵＲＬを管理する制御部１５と、ＳｅｒｖｉｃｅＵＲＬの管理情報を格納する管理データベースを備えたメモリ部１７とを備え、管理データベースは、ＳｅｒｖｉｃｅＵＲＬを構成するＭＡＣアドレス、ＩＰアドレス、ポート番号、及びＸＭＬファイルまでのディレクトリファイルパスのうち、ＭＡＣアドレスとＩＰアドレスとポート番号とが共通化されており、複数のサービスの内容に応じて異なる前記ディレクトリファイルパスが前記共通化データに対応付けて複数登録されている。【選択図】図１
2009277111.tif 000002
【特許請求の範囲】
【請求項１】
ＵＰｎＰによる通信手段によりネットワークを介して他の装置と通信可能な情報処理装置において、
前記他の装置が提供している１または複数のサービスの内容を記録しているＸＭＬファイルを示すＳｅｒｖｉｃｅＵＲＬを管理する管理手段と、
ＳｅｒｖｉｃｅＵＲＬの管理情報を格納する管理データベースとを備え、
前記管理データベースは、前記ＳｅｒｖｉｃｅＵＲＬを構成するＭＡＣアドレス、ＩＰアドレス、ポート番号、及びＸＭＬファイルまでのディレクトリファイルパスのうち、ＭＡＣアドレスとＩＰアドレスとポート番号とが共通化されており、複数のサービスの内容に応じて異なるディレクトリファイルパスが前記共通化データに対応付けて複数登録されていることを特徴とする情報処理装置。
【請求項２】
請求項１に記載の情報処理装置において、
前記ＳｅｒｖｉｃｅＵＲＬには、サービスの内容を特定するサービス識別子が含まれており、前記管理データベースには、前記サービス識別子も前記共通化データに対応付けて複数登録されていることを特徴とする情報処理装置。
【請求項３】
請求項２に記載の情報処理装置において、
前記管理手段は、
ＭＡＣアドレス、ＩＰアドレス、ポート番号、サービス識別子、及びディレクトリファイルパスが１レコードで記録されているＳｅｒｖｉｃｅＵＲＬを前記他の装置から取得すると、取得したＳｅｒｖｉｃｅＵＲＬを各構成要素に分割するステップと、
分割した一つの要素であるＩＰアドレスを元にＭＡＣアドレスを特定し、特定したＭＡＣアドレスが前記管理データベースに登録されているか否かを確認するステップと、
ＭＡＣアドレスが登録されていない場合には、前記管理データベースの同じ共通化データに対応付けて今回取得したサービス識別子とディレクトリファイルパスとを追加登録するステップとを実行することを特徴とする情報処理装置。
【請求項４】
請求項１または請求項２に記載の情報処理装置において、
前記管理手段は、
ネットワークに新たな装置が接続されることによって新たなＩＰアドレスを取得すると、取得したＩＰアドレスを元にＭＡＣアドレスを特定するステップと、
特定したＭＡＣアドレスが前記管理データベースに登録されているか否かを確認するステップと、
ＭＡＣアドレスが登録されている場合には、ＩＰアドレスが変更されたと判断して、共通化データの中の該当するＭＡＣアドレスに対応するＩＰアドレスを今回取得したＩＰアドレスに更新するステップとを実行することを特徴とする情報処理装置。
【発明の詳細な説明】
【技術分野】
【０００１】
本発明は、ＵＰｎＰによる通信手段によりネットワークを介して他の装置と通信可能な情報処理装置に関する。
【背景技術】
【０００２】
近年、動画や音声等のコンテンツデータ（以下、コンテンツという。）を再生可能なネットワークプレーヤと、このネットワークプレーヤとネットワークを介して接続されたネットワークサーバとからなるコンテンツ配信システムが知られている。ネットワークプレーヤとネットワークサーバとはＤＬＮＡ（Ｄｉｇｉｔａｌ Ｌｉｖｉｎｇ Ｎｅｔｗｏｒｋ Ａｌｌｉａｎｃｅ）に対応しており、ネットワークサーバはコンテンツを記録可能なハードディスクと、装置各部を制御するための制御処理を行うＣＰＵを含む制御用マイコンを備えている。そして、ネットワークプレーヤからコンテンツ取得要求（ＨＴＴＰ（ＨｙｐｅｒＴｅｘｔ Ｔｒａｎｓｆｅｒ Ｐｒｏｔｏｃｏｌ）ＧＥＴに基づくＨＴＴＰリクエストメッセージ）を送信すると、このコンテンツ取得要求に対応するコンテンツがネットワークサーバからネットワークプレーヤに送信され、ネットワークプレーヤは、この送信されてきたコンテンツを受信して再生するようになっている。
【０００３】
この場合、ネットワークプレーヤは、ＵＰｎＰ（Ｕｎｉｖｅｒｓａｌ Ｐｌｕｇ ａｎｄ Ｐｌａｙ）で規定されているＣｏｎｔｒｏｌＰｏｉｎｔとＳｅａｒｃｈアクションを実装している。ＵＰｎＰでは、共通言語はＨＴＴＰ（ＨｙｐｅｒＴｅｘｔ Ｔｒａｎｓｆｅｒ Ｐｒｏｔｏｃｏｌ）であり、やり取りする情報はＸＭＬ（Ｅｘｔｅｎｓｉｂｌｅ Ｍａｒｋｕｐ Ｌａｎｇｕａｇｅ）によって定義される。ＣｏｎｔｒｏｌＰｏｉｎｔは、ネットワークサーバの制御機能を持つデバイスを示す。また、Ｓｅａｒｃｈアクションは、ネットワークサーバのコンテンツ情報を取得するために使用する。ＣｏｎｔｒｏｌＰｏｉｎｔがネットワークサーバにコンテンツ数などを送信することで、ネットワークサーバからコンテンツ数と個々のコンテンツに関する情報が送られてくる。
【０００４】
ところで、このようなネットワークプレーヤをはじめとする、ＵＰｎＰによる通信手段によりネットワークを介して他の装置と通信可能な情報処理装置（上記構成のネットワークプレーヤやネットワークサーバ等）では、ネットワーク上の他の装置が提供（公開）している１または複数のサービス内容を記録しているＸＭＬファイルを示すＳｅｒｖｉｃｅＵＲＬを管理している。
【０００５】
この場合、ＳｅｒｖｉｃｅＵＲＬの管理は、ＭＡＣアドレス、ＩＰアドレス、ポート番号、及びディレクトリファイルパス（ただし、サービス識別子も含む場合もある）を１レコードとして、提供されているサービスの数だけそのままメモリに登録するようになっている（これを従来技術１という）。
【０００６】
また、特許文献１には、機器管理テーブルとして、各々のＵＰｎＰ機器ごとのデバイス記述情報、サービス記述情報、イーサネット(登録商標)ＭＡＣアドレス、及び稼動／待機状態の情報の対応表を格納した構成が開示されている。
【特許文献１】特開２００６−２６０４２５号公報
【発明の開示】
【発明が解決しようとする課題】
【０００７】
ところで、一つの装置に対してサービス内容が複数公開されている場合、各サービス内容に対応するＳｅｒｖｉｃｅＵＲＬについては、ＭＡＣアドレス、ＩＰアドレス、ポート番号、及びディレクトリファイルパスのうち、ＭＡＣアドレスとＩＰアドレスとポート番号とが全て同じ情報となっている。
【０００８】
しかし、上記従来技術１では、ＳｅｒｖｉｃｅＵＲＬの管理は、ＭＡＣアドレス、ＩＰアドレス、ポート番号、及びディレクトリファイルパスを１レコードとして、提供されているサービスの数だけ（すなわち、サービスの数に対応する数のＳｅｒｖｉｃｅＵＲＬを）そのままメモリに登録するため、十分なメモリ容量を事前に確保しておく必要があった。また、上記特許文献１においても、各々のＵＰｎＰ機器ごとのデバイス記述情報、サービス記述情報、イーサネット(登録商標)ＭＡＣアドレス、及び稼動／待機状態の情報の対応表を格納しておく必要があるため、十分なメモリ容量を事前に確保しておく必要があった。
【０００９】
また、上記従来技術１では、ＭＡＣアドレス、ＩＰアドレス、及びポート番号といった全く同じ情報を、提供されているサービスの数だけ重複して登録するため、記憶領域を無駄に使用してしまうといった問題もあった。
【００１０】
本発明はかかる問題点を解決すべく創案されたもので、その目的は、ＳｅｒｖｉｃｅＵＲＬを構成するＭＡＣアドレス、ＩＰアドレス、ポート番号、及びディレクトリファイルパスのうち、それぞれのＳｅｒｖｉｃｅＵＲＬについて全て同じ情報である、ＭＡＣアドレスとＩＰアドレスとポート番号とを共通化し、サービス内容によって異なるディレクトリファイルパスのみをサービスの数だけ関連付けて登録することで、ＳｅｒｖｉｃｅＵＲＬを有効に管理することのできる情報処理装置を提供することにある。
【課題を解決するための手段】
【００１１】
上記課題を解決するため、本発明の情報処理装置は、ＵＰｎＰによる通信手段によりネットワークを介して他の装置と通信可能な情報処理装置において、前記他の装置が提供している１または複数のサービス内容を記録しているＸＭＬファイルを示すＳｅｒｖｉｃｅＵＲＬを管理する管理手段と、ＳｅｒｖｉｃｅＵＲＬの管理情報を格納する管理データベースとを備え、前記管理データベースは、前記ＳｅｒｖｉｃｅＵＲＬを構成するＭＡＣアドレス、ＩＰアドレス、ポート番号、及びＸＭＬファイルまでのディレクトリファイルパスのうち、ＭＡＣアドレスとＩＰアドレスとポート番号とが共通化されており、複数のサービス内容に応じて異なるディレクトリファイルパスが前記共通化データに対応付けて複数登録されていることを特徴としている。また、前記ＳｅｒｖｉｃｅＵＲＬに、サービスの内容を特定するサービス識別子が含まれている場合には、このサービス識別子も前記共通化データに対応付けて複数登録されている。
【００１２】
このように、本発明によれば、ＭＡＣアドレスを元にＳｅｒｖｉｃｅＵＲＬのディレクトリファイルパスを管理する管理データベースを構築している。この場合、管理データベースには、各装置が提供している複数のＳｅｒｖｉｃｅＵＲＬについて共通である、ＭＡＣアドレス、ＩＰアドレス、及びポート番号が共通化データとして１つだけ登録されており、サービス内容に応じて異なる複数のサービス識別子やディレクトリファイルパスが、この共通化データに対応付けて複数登録されている。すなわち、各装置に対して、複数のＳｅｒｖｉｃｅＵＲＬを管理するためのＭＡＣアドレス、ＩＰアドレス、及びポート番号を１つだけ登録し、これを複数のＳｅｒｖｉｃｅＵＲＬの管理に共通して使用する構成としたので、管理データベースとして使用するメモリの記憶領域（半導体メモリやＨＤＤ等）を削減することが可能となる。
【００１３】
この場合、前記管理手段は、管理している管理データベースの更新処理を行うように構成してもよい。すなわち、前記管理手段は、ＭＡＣアドレス、ＩＰアドレス、ポート番号、サービス識別子、及びディレクトリファイルパスが１レコードで記録されているＳｅｒｖｉｃｅＵＲＬを前記他の装置から取得すると、取得したＳｅｒｖｉｃｅＵＲＬを各構成要素に分割するステップと、分割した１つの構成要素であるＩＰアドレスを元にＭＡＣアドレスを特定し、特定したＭＡＣアドレスが前記管理データベースに登録されているか否かを確認するステップと、ＭＡＣアドレスが登録されていない場合には、前記管理データベースの同じ共通化データに対応付けて今回取得したサービス識別子とディレクトリファイルパスとを追加登録するステップとを実行するように構成してもよい。これにより、ネットワークに接続されている任意の装置で新たなサービスが追加された場合には、その追加されたサービスのＳｅｒｖｉｃｅＵＲＬの管理情報を管理データベースに追加登録することが可能となる。
【００１４】
また、前記管理手段は、ＩＰアドレスの更新処理を行うように構成してもよい。ＩＰアドレスは変更される場合があるため、変更された場合には、管理データベースの共通化データのＩＰアドレスもこれに対応させて変更する必要がある。
【００１５】
すなわち、前記管理手段は、ネットワークに新たな装置が接続される（ネットワークから一旦外されて、再度接続されるような場合も含まれる）ことによって新たなＩＰアドレスを取得すると、取得したＩＰアドレスを元にＭＡＣアドレスを特定するステップと、特定したＭＡＣアドレスが前記管理データベースに登録されているか否かを確認するステップと、ＭＡＣアドレスが登録されている場合には、ＩＰアドレスが変更されたと判断して、共通化データの中の該当するＭＡＣアドレスに対応するＩＰアドレスを今回取得したＩＰアドレスに更新するステップとを実行するように構成してもよい。また、管理データベースを確認した結果、ＭＡＣアドレスが登録されていなかった場合には、新しい装置が新たにネットワークに接続されたと判断し、その装置からＭＡＣアドレス、ＩＰアドレス、ポート番号、サービス識別子、及びディレクトリファイルパスが１レコードで記録されているＳｅｒｖｉｃｅＵＲＬを取得して、上記の管理データベースの更新処理を実行すればよい。
【発明の効果】
【００１６】
本発明によれば、ＭＡＣアドレスを元にＳｅｒｖｉｃｅＵＲＬのディレクトリファイルパスを管理する管理データベースを構築し、この管理データベースには、各装置が提供している複数のＳｅｒｖｉｃｅＵＲＬについて共通である、ＭＡＣアドレス、ＩＰアドレス、及びポート番号を共通化データとして１つだけ登録し、サービスの容に応じて異なる複数のサービス識別子やディレクトリファイルパスをこの共通化データに対応付けて複数登録する構成としたので、管理データベースとして使用するメモリの記憶領域を大幅に削減することができ、ＳｅｒｖｉｃｅＵＲＬを有効に管理することができる。
【発明を実施するための最良の形態】
【００１７】
以下、本発明の実施の形態について、図面を参照して説明する。
【００１８】
図１は、本発明の情報処理装置であるネットワークプレーヤやネットワークサーバを含むコンテンツ配信システムの全体構成図である。
【００１９】
このコンテンツ配信システムは、動画や音声等のコンテンツを再生可能なネットワークプレーヤ１と、このネットワークプレーヤ１とネットワーク４を介して接続された複数（本実施形態では２個）のネットワークサーバ２，３とを含んで構成されている。また、ネットワークプレーヤ１とネットワークサーバ２，３とはＤＬＮＡに対応しており、ネットワーク４上のＤＬＮＡ対応機器の追加または削除を容易に行うことができるようになっている。また、ネットワークプレーヤ１及びネットワークサーバ２，３は、ＵＰｎＰに対応した機器であり、ネットワークプレーヤ１は、ＣｏｎｔｒｏｌＰｏｉｎｔとＳｅａｒｃｈアクションを実装している。ネットワークサーバ２，３は、コンテンツのサーチ機能を有する。
【００２０】
図２は、ネットワークプレーヤ１の内部構成を示すブロック図である。
【００２１】
ネットワークプレーヤ１は、ネットワークサーバ２，３に対してコンテンツ取得要求の送信、及びコンテンツの受信を行うためのネットワークインタフェース（通信手段）１４と、ユーザが操作するためのボタンを有するリモコン等を含む操作部１３と、受信したコンテンツの再生、及び装置各部を制御する制御部１５と、制御部１５の動作プログラムを格納するＲＯＭ１６と、ネットワークサーバ２，３において提供されているサービスの内容を管理するための管理データベース（これについては後述する）を格納したメモリ部１７とを備えている。また、ネットワークプレーヤ１は、ネットワークインタフェース１４により受信した動画や画像等のコンテンツを出力するディスプレイ１１と、制御部１５から出力された音声信号に基づく音声を出力するスピーカ１２とをさらに備えている。メモリ部１７は、フラッシュメモリやＥＥＰＲＯＭ等の書き換え可能な不揮発性メモリによって構成されている。
【００２２】
図３は、ネットワークサーバ２の内部構成を示すブロック図である。なお、ネットワークサーバ３の内部構成は、図３に示すネットワークサーバ２の内部構成と同様であり、ネットワークサーバ２が行う処理を、ネットワークサーバ３も行うことができる。
【００２３】
ネットワークサーバ２は、コンテンツが記録されたハードディスク（ＨＤＤ）２３と、ユーザにより操作されるリモコン等を含む操作部２４と、ネットワークプレーヤ１から送信されてきたコンテンツ取得要求を受信し、受信したコンテンツ取得要求に応じたコンテンツを送信するためのネットワークインタフェース２５と、装置各部を制御するための制御処理を行うＣＰＵ２６を含む制御用マイコン２１と、制御用マイコン２１の動作プログラムを格納したＲＯＭ２２とを備えている。
【００２４】
図４は、メモリ部１７に格納されている管理データベースの構成をイメージ的に示した説明図である。
【００２５】
この管理データベースは、ネットワーク４に接続されているネットワークサーバが提供する複数のサービスの内容を記録しているＸＭＬファイルを示すＳｅｒｖｉｃｅＵＲＬを管理するデータベースであり、ネットワーク４に接続されている機器（ここでは、２つのネットワークサーバ２，３）ごとに分けて格納されている。すなわち、サービスは、１つの機器（ネットワークサーバ）について複数提供されているので、ＳｅｒｖｉｃｅＵＲＬについても複数存在する。そして、複数提供されているサービスに対応する複数のＳｅｒｖｉｃｅＵＲＬを管理するために、本実施形態では、ＳｅｒｖｉｃｅＵＲＬを構成するＭＡＣアドレス、ＩＰアドレス、ポート番号、サービス識別子、及びディレクトリファイルパスのうち、１つの機器（ネットワークサーバ）に対して共通であるＭＡＣアドレスとＩＰアドレスとポート番号とを共通化している。そして、提供されるサービス内容に応じて異なるサービス識別子とディレクトリファイルパスとを、この共通化されているデータ（共通化データ）に対応付けてそれぞれ登録する構成としている。
【００２６】
すなわち、図４に示す例で言えば、ネットワークサーバ２は３つのサービスを提供している。従って、管理データベースには、ネットワークサーバ２に対応する領域２Ａに共通化データ（ＭＡＣアドレス，ＩＰアドレス，ポート番号）２ａが１つ登録されており、この共通化データ２ａに対応付ける形で、３つのサービス内容に対応するサービス識別子とディレクトリファイルパスとからなる３つの個別データ２ｂ１，２ｂ２，２ｂ３がそれぞれ登録されている。なお、図示は省略しているが、別のネットワークサーバ３に対応する領域３Ａについても、１つの共通化データ（図示省略）と、このネットワークサーバ３で提供されているサービスの数に対応する数の個別データ３ｂ１，３ｂ２，・・・がそれぞれ登録されている。このように、ネットワークサーバ２，３ごとに、ＭＡＣアドレス，ＩＰアドレス，ポート番号を共通化することで、提供されているサービスの数だけＭＡＣアドレス，ＩＰアドレス，ポート番号が重複して登録されることが無くなり、その分、管理データベースに使用するメモリ部１７の記憶領域を削減することが可能となる。
【００２７】
すなわち、本実施形態の管理データベースは、ＭＡＣアドレスを元にＳｅｒｖｉｃｅＵＲＬのディレクトリファイルパスを管理する構成となっている。
【００２８】
ここで、上記構成の制御部１５によって、上記構成の管理データベースの更新処理を行う実施例について、図５に示すフローチャートを参照して説明する。
【００２９】
制御部１５は、ＭＡＣアドレス、ＩＰアドレス、ポート番号、サービス識別子、及びディレクトリファイルパスが１レコードで記録されているＳｅｒｖｉｃｅＵＲＬを、例えばネットワークサーバ２から取得すると（ステップＳ１）、取得したＳｅｒｖｉｃｅＵＲＬの文字列を各構成要素に分割する（ステップＳ２）。そして、分割した１つの構成要素であるＩＰアドレスを元にＭＡＣアドレスを特定し（ステップＳ３）、メモリ部１７の管理データベースを検索して（ステップＳ４）、この特定したＭＡＣアドレスが管理データベースに登録されているか否かを確認する（ステップ５）。
【００３０】
その結果、ＭＡＣアドレスが登録されている場合（ステップＳ５でＹｅｓと判断された場合）には、新たなサービスが追加されたと判断して、管理データベースの同じ共通化データに対応付けて、今回取得したサービス識別子とディレクトリファイルパスとを追加登録する処理を実施する（ステップＳ６）。これにより、ネットワーク４に接続されている任意の装置で新たなサービスが追加された場合には、その追加されたサービスのＳｅｒｖｉｃｅＵＲＬの管理情報を管理データベースに追加登録することができる。
【００３１】
一方、ＭＡＣアドレスが登録されていなかった場合（ステップＳ５でＹｅｓと判断された場合）には、ネットワーク４に新たな機器（例えば、別のネットワークサーバ等）が接続されたと判断して、今回取得したＳｅｒｖｉｃｅＵＲＬを、新たな機器に対するＳｅｒｖｉｃｅＵＲＬとして管理データベースに登録する処理（すなわち、管理データベースの更新処理）を実施する（ステップＳ７）。すなわち、取得したＭＡＣアドレス、ＩＰアドレス、ポート番号、サービス識別子、及びディレクトリファイルパスのうち、ＭＡＣアドレス、ＩＰアドレス、ポート番号を１つの共通化データとして登録し、これに関連付けてサービス識別子とディレクトリファイルパスとを登録する。
【００３２】
ところで、ＩＰアドレスは変更される場合があるため、変更された場合には、管理データベースの共通化データのＩＰアドレスもこれに対応させて変更する必要がある。
【００３３】
次に、制御部１５によってＩＰアドレスの更新処理を行う実施例について、図６に示すフローチャートを参照して説明する。
【００３４】
すなわち、制御部１５は、ネットワーク４に新たな装置が接続される（ネットワークから一旦外されて、再度接続されるような場合も含まれる）ことによって新たなＩＰアドレスを取得すると（ステップＳ１１）、取得したＩＰアドレスを元にＭＡＣアドレスを特定し（ステップＳ１２）、メモリ部１７の管理データベースを検索して（ステップＳ１３）、この特定したＭＡＣアドレスが管理データベースに登録されているか否かを確認する（ステップＳ１４）。
【００３５】
その結果、ＭＡＣアドレスが登録されている場合（ステップＳ１４でＹｅｓと判断された場合）には、ＩＰアドレスが変更されたと判断して、共通化データの中の該当するＭＡＣアドレスに対応するＩＰアドレスを、今回取得したＩＰアドレスに更新する処理を実施する（ステップＳ１５）。
【００３６】
一方、管理データベースを確認した結果、ＭＡＣアドレスが登録されていなかった場合（ステップＳ１４でＮｏと判断された場合）には、新しい装置が新たにネットワーク４に接続されたと判断し、その装置からＭＡＣアドレス、ＩＰアドレス、ポート番号、サービス識別子、及びディレクトリファイルパスが１レコードで記録されているＳｅｒｖｉｃｅＵＲＬを取得して、管理データベースの更新処理を実施する（ステップＳ１６）。すなわち、取得したＭＡＣアドレス、ＩＰアドレス、ポート番号、サービス識別子、及びディレクトリファイルパスのうち、ＭＡＣアドレス、ＩＰアドレス、ポート番号を１つの共通化データとして登録し、これに関連付けてサービス識別子とディレクトリファイルパスとを登録する。
【００３７】
なお、上記実施形態では、ネットワークプレーヤ１を例に挙げて管理データベースの構成を説明しているが、ネットワークサーバ２，３においても同様の管理データベースを用いてＳｅｒｖｉｃｅＵＲＬを管理することが可能である。
【図面の簡単な説明】
【００３８】
【図１】本発明の情報再生装置であるネットワークプレーヤやネットワークサーバを含むコンテンツ配信システムの全体構成図である。
【図２】ネットワークプレーヤの内部構成を示すブロック図である。
【図３】ネットワークサーバの内部構成を示すブロック図である。
【図４】メモリ部に格納されている管理データベースの構成をイメージ的に示した説明図である。
【図５】管理データベースの更新処理手順を示すフローチャートである。
【図６】ＩＰアドレスの更新処理手順を示すフローチャートである。処理動作を示すフローチャートである。
【符号の説明】
【００３９】
１  ネットワークプレーヤ
２，３  ネットワークサーバ
４  ネットワーク
１１  ディスプレイ
１２  スピーカ
１３  操作部
１４  ネットワークインタフェース
１５  制御部
１６  ＲＯＭ
１７  メモリ部
２１  制御用マイコン
２２  ＲＯＭ
２３  ＨＤＤ
２４  操作部
２５  ネットワークインタフェース
２６  ＣＰＵ
【図１】
2009277111.tif 000003
【図２】
2009277111.tif 000004
【図３】
2009277111.tif 000005
【図４】
2009277111.tif 000006
【図５】
2009277111.tif 000007
【図６】
2009277111.tif 000008